(57)【要約】【課題】背凭れ支持杆の上部に、背板を、位置決めして仮保持しながら、容易に、かつ強固に取付けうるようにした椅子を提供する。【解決手段】背凭れ７における背板１４の前面に、後方に凹入し、かつ下方に開口する凹部１６を設け、この凹部１６の上方に形成された段差部１５に、下方に開口する左右１対の保持部２２を下向きに突設し、凹部１６に挿入した背凭れ支持杆１０の上端部に、左右の保持部２２を嵌合して背板１４を保持するとともに、両保持部２２の下方の凹部１６内において、背板１４と左右の背凭れ支持杆１０とをねじにより固定する。【選択図】  図７
2011101761.tif 000002
【特許請求の範囲】
【請求項１】
座の後上方に起立する少なくとも左右１対の背凭れ支持杆により、背凭れを支持してなる椅子において、前記背凭れにおける背板の前後面のいずれか一方に、後方または前方に凹入し、かつ下方に開口する凹部を設け、この凹部の上方に形成された段差部に保持部を突設し、この保持部を、上端が前記段差部と当接するまで前記凹部に挿入した前記左右の背凭れ支持杆の上端部の少なくとも前面または後面に当接させて、前記背板を保持するとともに、前記保持部の下方の凹部内において、前記背板と左右の背凭れ支持杆とを固定手段により固定したことを特徴とする椅子。
【請求項２】
保持部を、左右１対の下方に開口する筒状をなすものとし、両保持部を、左右の背凭れ支持杆の上端部に嵌合してなる請求項１記載の椅子。
【請求項３】
筒状とした保持部を、その外周面の一部が背板と連続するように、背板と一体的に連設してなる請求項２記載の椅子。
【請求項４】
背板の両側部に、左右１対の側杆を連設し、前記背板の上下方向の中間部よりも下方に凹部を設け、この凹部よりも上方の背板の上半部を、厚さを前記側杆の前後寸法よりも小とした可撓部としてなる請求項１〜３のいずれかに記載の椅子。
【発明の詳細な説明】
【技術分野】
【０００１】
本発明は、座の後上方に起立する背凭れ支持杆の上部に、背凭れを取付けてなる椅子に関する。
【背景技術】
【０００２】
この種の椅子としては、例えば特許文献１に記載されているように、背板の後面下部に設けた凹部に連結ブロックを嵌合し、この連結ブロックに形成された上下方向を向く貫通孔に、背凭れ支持体の上部を嵌合したのち、連結ブロックの後面を、背板の後面にねじ止めした押さえ板により固定して、背凭れ支持体の上部に背凭れを取付けたものや、例えば特許文献２に記載されているように、背板(インナーシェル)の後面に設けた凹部内の後面に、左右の背凭れ支持杆の対向面の上下部に固着した上下２枚の連結板を、複数のねじをもって固定することにより、背凭れ支持体の上部に背凭れを取付けたものがある。
【先行技術文献】
【特許文献】
【０００３】
【特許文献１】特開２００４−２４８８４１号公報
【特許文献２】特開２００５−１６０８９６号公報
【発明の概要】
【発明が解決しようとする課題】
【０００４】
上記特許文献１に記載されている椅子においては、背凭れ支持体の上部を、背板とは別体をなす連結ブロックに嵌合し、さらに、この連結ブロックを、押さえ板により背板に固定しているので、部品点数や組付工数が多く、コスト高となるという問題がある。
特許文献２に記載の椅子においては、左右の背凭れ支持杆の対向面に固着された連結板のみが、背板の後面にねじ止めされ、左右の背凭れ支持杆は背板に固定されていないので、背板の両側部が後方に大きく撓み、背凭れ支持杆が後向きに強く押圧された際に、連結板に大きな曲げ荷重が加わる。そのため、連結板の厚さや上下寸法を大とするなどして、剛性を高める必要があり、連結板の製造コストが大となるとともに、椅子の重量も増える。
また、左右の背凭れ支持杆の対向面の上下部に連結板を固着し、これらの連結板を、背板の後面に複数のねじにより固定しなければならず、しかも、背板及び背凭れ支持杆のいずれにも、それらを位置決めしたり、仮保持して取り付けたりする手段が設けられていないので、背凭れ支持杆への背凭れの取付けに手間がかかる。
【０００５】
本発明は、上記問題点に鑑みてなされたもので、特別な連結部材等を使用することなく、最小限の部材で、背凭れ支持杆の上部に、背板を、位置決めして仮保持しながら、容易に、かつ強固に取付けうるようにした椅子を提供することを目的としている。
【課題を解決するための手段】
【０００６】
本発明によると、上記課題は、次の各項のようにして解決される。
（１）座の後上方に起立する少なくとも左右１対の背凭れ支持杆により、背凭れを支持してなる椅子において、前記背凭れにおける背板の前後面のいずれか一方に、後方または前方に凹入し、かつ下方に開口する凹部を設け、この凹部の上方に形成された段差部に保持部を突設し、この保持部を、上端が前記段差部と当接するまで前記凹部に挿入した前記左右の背凭れ支持杆の上端部の少なくとも前面または後面に当接させて、前記背板を保持するとともに、前記保持部の下方の凹部内において、前記背板と左右の背凭れ支持杆とを固定手段により固定する。
【０００７】
このような構成とすると、凹部に挿入した左右の背凭れ支持杆の上端を、段差部に当接し、かつ両背凭れ支持杆の上端部の少なくとも前面または後面に、段差部に突設した保持部を当接させてあるので、両背凭れ支持杆に対し、背板を容易に位置決めして仮保持することができる。従って、背板における保持部よりも下方の背凭れ支持杆への固定作業が極めて容易となる。
また、背板は、保持部を介して、左右の背凭れ支持杆の上端部により保持されているので、背板の上部側をねじ等の固定手段により背凭れ支持杆に固定する必要はなく、背板の下部のみを固定手段により背凭れ支持杆に固定するだけでも、背板の背凭れ支持杆への取付強度は十分に確保される。従って、従来のように、特別な連結部材を使用したり、上下２箇所でねじにより固定したりする必要はなく、部品点数やコストが削減される。
しかも、保持部により、左右の背凭れ支持杆の上端部が前方または後方に動くのが阻止されるので、背凭れをリクライニングさせた際に、背板の下部の固定部に、背板から離間する方向のモーメントが加わらず、従って、背板の下部の固定強度をそれほど高める必要がない。
【０００８】
（２）上記(１)項において、保持部を、左右１対の下方に開口する筒状をなすものとし、両保持部を、左右の背凭れ支持杆の上端部に嵌合する。
【０００９】
このような構成とすると、保持部の強度が大となり、かつ左右の背凭れ支持杆の上端部全体が筒状の保持部に嵌合されているので、背板の上部が、背凭れ支持杆の上端部に安定よく保持される。
【００１０】
（３）上記(２)項において、筒状とした保持部を、その外周面の一部が背板と連続するように、背板と一体的に連設する。
【００１１】
このような構成とすると、保持部の曲げ強度が増大するので、背板の上部が、背凭れ支持杆の上端部に、より安定よく保持される。
【００１２】
（４）上記(１)〜(３)項のいずれかにおいて、背板の両側部に、左右１対の側杆を連設し、前記背板の上下方向の中間部よりも下方に凹部を設け、この凹部よりも上方の背板の上半部を、厚さを前記側杆の前後寸法よりも小とした可撓部とする。
【００１３】
このような構成とすると、背板の上半部、すなわち、背凭れ支持杆により支持された部分よりも上方の可撓部が、後方に撓み易くなるので、背凭れを後方にリクライニングさせた際に、座者の背中が快適に支持される。
【発明の効果】
【００１４】
本発明によれば、最小限の部材で、背凭れ支持杆の上部に、背板を、位置決めして仮保持しながら、容易に、かつ強固に取付けうるようにした椅子を提供することができる。
【図面の簡単な説明】
【００１５】
【図１】本発明の椅子の正面図である。
【図２】同じく、側面図である。
【図３】同じく、背凭れ支持杆と、それに取り付けられる背凭れの分解斜視図である。
【図４】同じく、背板の正面図である。
【図５】図４のＶ−Ｖ線拡大横断平面図である。
【図６】同じくＶＩ−ＶＩ線拡大横断平面図である。
【図７】背凭れ支持杆への背凭れ取付部の拡大縦断側面図である。
【図８】図７のＶＩＩＩ−ＶＩＩＩ線拡大横断平面図である。
【図９】同じくＩＸ−ＩＸ線拡大横断平面図である。
【発明を実施するための形態】
【００１６】
以下、本発明の実施形態を、図面に基づいて説明する。
図１は、本発明の椅子の正面図、図２は、同じく側面図、図３は、同じく要部の分解斜視図で、この椅子は、先端部にキャスタ１を備える放射状をなす５本の脚杆２を有する脚体３を備えている。脚体３の中央には、ガススプリング(図示略)を備える伸縮式の脚柱４が立設されており、脚柱４の上端には、支基５の後部が固着されている。
【００１７】
支基５は、上面が開口するほぼ中空箱状をなし、上面の開口部は、着脱可能なカバー５ａにより覆われている。支基５の両側面には、左右１対の肘掛け６、６が取り付けられている。
【００１８】
支基５の内部には、背凭れ７を起立する方向、すなわち前方に向かって付勢する付勢手段や、支基５によって支持された座８を前方に向かって付勢する付勢手段(いずれも図示略)等が設けられているが、それらについては、本発明に直接関係しないので、図示および詳細な説明は省略する。
【００１９】
背凭れ７は、中間の屈曲部の対向面同士が左右方向を向く連結板９をもって連結され、かつ上半部が座８の後上方に起立する側面視Ｌ字状の左右１対の背凭れ支持杆１０、１０に取付けられている(詳細は後述する)。
左右の背凭れ支持杆１０、１０の前端部は、左右方向の軸１１をもって支基５に枢着され、支基５の後端部と連結板９とに前後の端部が連結されたガススプリング１２の作用により、背凭れ支持杆１０、１０と背凭れ７とは、軸１１を中心として、前後方向に回動したり、所望の後傾角度で停止させられたりしうるようになっている。
【００２０】
背凭れ７は、上下方向の中間部、すなわち、座者の腰部付近の高さと対応する部分が、側面視くの字状に折曲された左右１対の側杆１３、１３と、両側杆１３の対向面同士を連結する、厚さが両側杆１３の前後寸法よりも小とされた背板１４とを備えている。左右の側杆１３、１３の左右寸法と前後寸法は、それぞれ、上方に向かって漸次小とされている。なお、左右の側杆１３、１３と背板１４とは、合成樹脂により一体的に形成されている。
【００２１】
背板１４における座者の背中を支持する部分、すなわち、側杆１３の折曲部１３ａよりもやや上方は可撓部１４ａとされ、座者の腰部付近から下を支持する下半部は非可撓部１４ｂとされている。可撓部１４ａを、両側杆１３の対向面の中間部に、非可撓部１４ｂを、両側杆１３の後縁にそれぞれ連設することにより、それらの連設部である上下方向の中間部には、後方に凹入する水平断面の段差部１５が形成され(図７参照)、かつ、非可撓部１４ｂの前面が、可撓部１４ａの前面よりも後方に位置することにより、段差部１５よりも下方の背板１４の前面には、後方に凹入し、下方に開口するする凹部１６が形成されている。
可撓部１４ａの下縁及び段差部１５の下面は、側杆１３の折曲部１３ａ付近まで、下向き円弧状に湾曲されている。
【００２２】
左右の側杆１３、１３の前後両面には、後方および前方に向かって凹入する上下方向を向く前後１対の凹溝１７、１８が、互いに前後方向に整合させて設けられ、この凹溝１７、１８が設けられた部分の各側杆１３の水平断面は、ほぼＨ字状をなしている(図５参照)。これらの凹溝１７、１８は、背凭れ７に図示しないオプション部材を取り付けるために使用される。
【００２３】
図４及び図５に拡大して示すように、背板１４の可撓部１４ａにおける下端部を除いたほぼ前面には、上下左右方向に並ぶ上下方向に長い長孔１９が、左右方向に千鳥足状に隣接するようにして多数設けられ、可撓部１４ａを、上下方向に並ぶ長孔１９を中心として、平面視後向き凸円弧状に撓み易くすることにより、座者の背中が快適に支持されるようにしてある。可撓部１４ａの後面には、上下方向を向くリブ２０が多数突設され、可撓部１４ａにおける長孔１９と直交する方向への撓み剛性を大としてある。なお、可撓部１４ａの板厚はほぼ均一で、リブ２０の前後寸法のみ、上方に向かうにしたがって、漸次小としてある(図７参照)。
【００２４】
背板１４の非可撓部１４ｂの前面両側部には、上端が段差部１５に連続する格子状のリブ２１が突設され、非可撓部１４ｂの曲げ剛性を、可撓部１４ａの曲げ剛性よりも大とすることにより、座者の腰部付近を支持する部分とその下方を、後方に撓みにくくしてある。なお、非可撓部１４ｂの前面には、後述する合成樹脂製の前面板２８が装着されるが、この前面板２８は、リブ２１を挟んで装着されるので、非可撓部としての機能を有する。
【００２５】
図４及び図６〜図８に示すように、背板１４における段差部１５の両側部下面には、背凭れ７を、左右の背凭れ支持杆１０の上端部を位置決めして保持可能な下方に開口する筒状の保持部２２、２２が、一体的に下向き突設されている。両保持部２２の後面と外側方の外周面の一部は、それぞれ、非可撓部１４ｂの前面と格子状のリブ２１の水平片に接続され、かつ、両保持部２２の前部外周面と、可撓部１４ａの下部前面とを、上下方向のリブ２３、２３をもって接続することにより、左右の保持部２２、２２は補強されている。
【００２６】
背凭れ７を左右の背凭れ支持杆１０、１０に取付けるには、まず、背板１４の非可撓部１４ｂの前面における左右の格子状リブ２１、２１間の凹部１６に挿入した左右の背凭れ支持杆１０、１０の上端部に、背板１４の段差部１５の下面に突設した左右の保持部２２、２２を、段差部１５に背凭れ支持杆１０の上端が当接するまで上方より嵌合して、背凭れ７を左右の背凭れ支持杆１０、１０により仮保持する。
【００２７】
ついで、図９に示すように、背板１４における非可撓部１４ｂの下部前面の中央部に前向き突設された左右方向の固定片２４の前面を、左右の背凭れ支持杆１０、１０の対向面に固着した連結板９の上端部後面に当接させ、連結板９と固定片２４とを、それらに設けた左右２個の通孔２５、２５に前面側より挿入した固定ねじ２６、２６とナット２７、２７により固定する。これにより、背板１４の非可撓部１４ｂは、左右の背凭れ支持杆１０、１０に強固に取り付けられている。
このようにして、背板１４を左右の背凭れ支持杆１０、１０に取付けると、両背凭れ支持杆１０の上端部に筒状の保持部２２、２２が嵌合され、背凭れ支持杆１０の上端部が前方に動くのが阻止されるので、背凭れ７をリクライニングさせた際に、背板１４の下部の固定部に、背板１４から離間する方向のモーメントが加わらず、従って、背板１４の下部の固定強度をそれほど高める必要がない。
なお、固定片２４の通孔２５をめねじ孔として、ナット２７を省略することもある。
【００２８】
背凭れ支持杆１０の上部と、背板１４の非可撓部１４ｂの前面は、非可撓部１４ｂの前部に取付けた、それとほぼ同形の硬質合成樹脂よりなる曲げ剛性の大きな前面板２８により覆われている。
前面板２８は、図８に示すように、その上下左右の後面に後向突設された４個の筒状突部２９を、格子状リブ２１の交差部に形成された複数の係合孔３０(図４参照)の内の適宜の４個のものに圧嵌することにより、可撓部１４ａの前面と同一面に整合するようにして止着されている。なお、前面板２８の上部、すなわち、座者の腰部付近を支持する部分は、側面視くの字状に湾曲されている(図７参照)。
【００２９】
前面板２８の前面と、背板１４の可撓部１４ａの前面と、背板１４の可撓部１４ａの後面とは、二つ折りとしたクッション材３１により覆われている。
【００３０】
以上説明したように、上記実施形態の椅子においては、背板１４の前面における上下方向の中間部よりも下方に、下方に開口する凹部１６を設け、この凹部１６に挿入した左右の背凭れ支持杆１０、１０の上端部に、段差部１５の下面に突設した、下方に開口する筒状の保持部２２、２２を嵌合してあるので、両背凭れ支持杆１０に対し、背板１４を容易に位置決めして仮保持することができる。
従って、背板１４の下部の固定作業、すなわち、非可撓部１４ｂに突設した固定片２４と、左右の背凭れ支持杆１０、１０を連結している連結板９とのねじ止め作業が極めて容易となる。
【００３１】
また、左右の筒状の保持部２２、２２は、背板１４における段差部１５と非可撓部１４ｂの前面に一体的に連設され、前後左右方向の曲げ強度が大とされているので、両保持部２２、２２を、左右の背凭れ支持杆１０、１０の上端部に嵌合しただけでも、背板１４の中間部を、背凭れ支持杆１０、１０の上端部により安定よく保持することができる。
従って、背板１４の中間部をねじ等の固定手段により背凭れ支持杆１０の上端部に固定する必要はなく、背板１４の下部のみを背凭れ支持杆１０の連結板９にねじ止めしただけでも、背板１４の背凭れ支持杆１０への取付強度は十分に確保されるので、従来のように、特別な連結部材を使用したり、上下２箇所でねじにより固定したりする必要はなく、部品点数やコストが削減される。
【００３２】
背板１４における座者の背中を支持する上半部を可撓部１４ａとするとともに、腰部付近から下を支持する下半部を、前面板２８を含めて非可撓部１４ｂとして、背板１４の上半部と下半部とを、撓み易い部分と撓みにくい部分とに明確に区分し、かつ背板１４の中間部よりも下方に形成した凹部１６を背凭れ支持杆１０により支持するとともに、可撓部１４ａと非可撓部１４ｂとを、側面視くの字形をなす剛性の高い左右１対の側杆１３、１３の対向面に連設してあるので、可撓部１４ａが上部ほど後方に撓み易くなり、座者の背中をクッション材３１を介して快適に支持しうるとともに、可撓部よりも剛性の高い非可撓部１４ｂと、その前面の前面板２８とがランバーサポート効果を発揮して、座者の腰部付近を快適に支持することができる。
【００３３】
本発明は、上記実施形態に限定されるものではない。
上記実施形態では、背凭れ支持杆１０の上端部に嵌合される保持部２２を、下方に開口する筒状としたが、例えば、左右の背凭れ支持杆１０の前面に当接する板状の保持部としたり、少なくとも背凭れ支持杆１０の前後の外周面を保持可能な円弧状断面の前後１対の保持片を有する欠円筒形の保持部としたり、あるいは、左右の背凭れ支持杆１０の上端部内に嵌合される軸状の保持部としたりすることもある。
【００３４】
また、上記実施形態では、背板１４の前面に凹部１６を形成し、その上面における後方に凹入する段差部１５に連設された保持部２２、２２を、背凭れ支持杆１０、１０の上端部に嵌合するようにしているが、これとは反対に、背板１４の後面に、前方に凹入し、下方に開口する凹部を設け、その上面に形成される前方に凹入する段差面に、上記のような保持部を連設して、この保持部を、背凭れ支持杆１０の上端部に嵌合するようにしてもよい。この際には、前方に凹入する凹部の後面を、後面板により塞げばよい。
【００３５】
本発明は、背凭れ７にクッション材３１が装着されていない椅子にも適用することができる。
【符号の説明】
【００３６】
１  キャスタ
２  脚杆
３  脚体
４  脚柱
５  支基
５ａカバー
６  肘掛け
７  背凭れ
８  座
９  連結板
１０  背凭れ支持杆
１１  軸
１２  ガススプリング
１３  側杆
１３ａ折曲部
１４  背板
１４ａ可撓部
１４ｂ非可撓部
１５  段差部
１６  凹部
１７  凹溝
１８  凹溝
１９  長孔
２０  リブ
２１  リブ
２２  保持部
２３  リブ
２４  固定片
２５  通孔
２６  固定ねじ
２７  ナット
２８  前面板
２９  筒状突部
３０  係合孔
３１  クッション材
【図１】
2011101761.tif 000003
【図２】
2011101761.tif 000004
【図３】
2011101761.tif 000005
【図４】
2011101761.tif 000006
【図５】
2011101761.tif 000007
【図６】
2011101761.tif 000008
【図７】
2011101761.tif 000009
【図８】
2011101761.tif 000010
【図９】
2011101761.tif 000011